(57)【要約】【課題】情報再生装置に装填された磁気テープ中の複数素材をビデオサーバに収録する際に、収録操作に要するオペレータの作業負担を軽減し得る素材記録再生制御装置を提供する。【解決手段】磁気テープ中の放送素材を特定する素材ＩＤと、磁気テープを特定するテープＩＤと、磁気テープ上の放送素材の先頭位置を表す頭出し位置とを対応付けた素材情報を素材情報記憶部１２に記憶し管理しておき、ＶＴＲ２０に装填される磁気テープのテープＩＤを取得し、ビデオサーバ１１から磁気テープ中の素材Ａの収録が終了した旨の通知を受けた時に、制御ＣＰＵ１１によりテープＩＤを利用して素材情報を参照して、磁気テープ中に他の素材Ｂが存在するか否かを判定し、素材Ｂが存在する場合に、素材情報を参照して素材Ｂの素材ＩＤに対応する頭出し位置から素材Ｂを再生するようにＶＴＲ２０の頭出し制御を実行するようにしている。【選択図】      図１
2008234709.tif 000002
【特許請求の範囲】
【請求項１】
放送素材データが記録された磁気テープが着脱自在に装填される情報再生装置を制御して前記磁気テープから放送素材データを再生させてビデオサーバに記録させる素材記録再生制御装置において、
前記放送素材データを特定する素材ＩＤと、前記磁気テープを特定するテープＩＤと、前記磁気テープ上の前記放送素材データの先頭位置を表す頭出し位置とを対応付けた素材管理テーブルを記憶する記憶手段と、
前記情報再生装置に装填される磁気テープのテープＩＤを取得する取得手段と、
前記情報再生装置に装填される磁気テープから第１の放送素材データが再生され前記ビデオサーバから前記第１の放送素材データの記録が終了した旨の通知を受けた時に、前記取得手段により得られるテープＩＤに基づいて前記素材管理テーブルを参照し、この参照結果に基づいて前記磁気テープ中に前記第１の放送素材データとは異なる第２の放送素材データが記録されているか否かを判定する判定手段と、
この判定手段により前記磁気テープ中に前記第２の放送素材データが記録されている旨が判定された場合に、前記素材管理テーブルを参照して前記第２の放送素材データの素材ＩＤに対応する頭出し位置から前記第２の放送素材データを再生するように前記情報再生装置を制御する制御手段とを具備したことを特徴とする素材記録再生制御装置。
【請求項２】
前記制御手段は、判定手段により前記磁気テープ中に前記第２の放送素材データが記録されていない旨が判定された場合に、前記情報再生装置に対し前記磁気テープの排出処理を実行させることを特徴とする請求項１記載の素材記録再生制御装置。
【請求項３】
前記記憶手段は、前記情報再生装置を特定する装置ＩＤと、当該情報再生装置に装填される磁気テープのテープＩＤとを対応付けた装置テーブルを記憶し、
前記取得手段は、前記情報再生装置に前記磁気テープが装填されるごとに、該当する装置ＩＤに対応するテープＩＤを更新することを特徴とする請求項１記載の素材記録再生制御装置。
【請求項４】
放送素材データが記録された磁気テープが着脱自在に装填される情報再生装置を制御して前記磁気テープから放送素材データを再生させてビデオサーバに記録させる素材記録再生制御方法において、
前記放送素材データを特定する素材ＩＤと、前記磁気テープを特定するテープＩＤと、前記磁気テープ上の前記放送素材データの先頭位置を表す頭出し位置とを対応付けた素材管理テーブルをメモリに記憶しておき、
前記情報再生装置に装填される磁気テープのテープＩＤを取得し、
前記情報再生装置に装填される磁気テープから第１の放送素材データが再生され前記ビデオサーバから前記第１の放送素材データの記録が終了した旨の通知を受けた時に、取得されたテープＩＤに基づいて前記素材管理テーブルを参照し、この参照結果に基づいて前記磁気テープ中に前記第１の放送素材データとは異なる第２の放送素材データが記録されているか否かを判定し、
前記磁気テープ中に前記第２の放送素材データが記録されている旨が判定された場合に、前記素材管理テーブルを参照して前記第２の放送素材データの素材ＩＤに対応する頭出し位置から前記第２の放送素材データを再生するように前記情報再生装置を制御するようにしたことを特徴とする素材記録再生制御方法。
【発明の詳細な説明】
【技術分野】
【０００１】
この発明は、放送局内において、例えばＶＴＲ(Video Tape Recorder)に装填される磁気テープ中の放送素材をビデオサーバに記録するための素材記録再生制御装置及び素材記録再生制御方法に関する。
【背景技術】
【０００２】
周知のように、例えばＴＶ（テレビジョン）放送やラジオ放送の映像／音声等の放送素材を送出する送出システムにあっては、放送素材を記録（以後、収録と称する）し、任意のタイミングで放送素材を再生するビデオサーバが使用されている。
【０００３】
ところで、放送局では、ＶＴＲ（Video Tape Recorder）テープ等の媒体に記録された放送素材を再生してビデオサーバのメモリに書き込みを行っている。ここで、１本のテープに複数素材が記録されている場合に、それぞれの素材の収録操作を操作端末を用いて手動で行なう必要がある。さらに、操作端末のオペレータは、ビデオサーバに収録すべく放送素材が切り替わるごとに、ＶＴＲへ足を運んでテープの再装填を行う必要があり、ビデオサーバへの収録までに多くの手間と時間がかかってしまうことになる。
【０００４】
なお、従来では、１本のテープに記録された複数素材に関する情報を操作端末で閲覧できるようにして、収録操作の軽減を図るデータ記録管理装置が提案されている（例えば、特許文献１）。
【特許文献１】特開２００１−６７８３９号公報。
【発明の開示】
【発明が解決しようとする課題】
【０００５】
しかしながら、上記データ記録管理装置では、複数素材に関する情報を操作端末に表示するものであり、ビデオサーバに収録すべく放送素材が切り替わる場合に、オペレータがＶＴＲへ足を運んでテープの再装填を行う必要がある。
【０００６】
そこで、この発明の目的は、情報再生装置に装填された磁気テープ中の複数素材をビデオサーバに収録する際に、収録操作に要するオペレータの作業負担を軽減し得る素材記録再生制御装置及び素材記録再生制御方法を提供することにある。
【課題を解決するための手段】
【０００７】
上記目的を達成するために、この発明に係わる素材記録再生制御装置は、放送素材データが記録された磁気テープが着脱自在に装填される情報再生装置を制御して前記磁気テープから放送素材データを再生させてビデオサーバに記録させる素材記録再生制御装置を対象にしている。
【０００８】
そして、放送素材データを特定する素材ＩＤと、磁気テープを特定するテープＩＤと、磁気テープ上の放送素材データの先頭位置を表す頭出し位置とを対応付けた素材管理テーブルを記憶する記憶手段と、情報再生装置に装填される磁気テープのテープＩＤを取得する取得手段と、情報再生装置に装填される磁気テープから第１の放送素材データが再生されビデオサーバから第１の放送素材データの記録が終了した旨の通知を受けた時に、取得手段により得られるテープＩＤに基づいて素材管理テーブルを参照し、この参照結果に基づいて磁気テープ中に第１の放送素材データとは異なる第２の放送素材データが記録されているか否かを判定する判定手段と、この判定手段により磁気テープ中に第２の放送素材データが記録されている旨が判定された場合に、素材管理テーブルを参照して第２の放送素材データの素材ＩＤに対応する頭出し位置から第２の放送素材データを再生するように情報再生装置を制御する制御手段とを備えるようにしたものである。
【０００９】
この構成によれば、放送素材データを特定する素材ＩＤと、磁気テープを特定するテープＩＤと、磁気テープ上の放送素材データの先頭位置を表す頭出し位置とを対応付けた素材管理テーブルをメモリに記憶し管理しておくと共に、情報再生装置に装填される磁気テープのテープＩＤを取得し、ビデオサーバから磁気テープ中の第１の放送素材データの記録が終了した旨の通知を受けた時に、テープＩＤに基づいて素材管理テーブルを参照して、磁気テープ中に第２の放送素材データが記録されているか否かが判定され、第２の放送素材データが記録されている場合に、素材管理テーブルを参照して第２の放送素材データの素材ＩＤに対応する頭出し位置から第２の放送素材データを再生するように情報再生装置が制御されることになる。
【００１０】
従って、上記素材管理テーブルを用いることで、情報再生装置に装填される磁気テープに、第２の放送素材データが存在するか否かをチェックでき、存在する場合には磁気テープを取り出さず、そのまま次の第２の放送素材データの開始位置まで頭出しを行うことができ、これにより収録操作の作業効率を上げることができる。
【発明の効果】
【００１１】
以上詳述したようにこの発明によれば、情報再生装置に装填された磁気テープ中の複数素材をビデオサーバに収録する際に、収録操作に要するオペレータの作業負担を軽減し得る素材記録再生制御装置及び素材記録再生制御方法を提供することができる。
【発明を実施するための最良の形態】
【００１２】
以下、この発明の実施形態について図面を参照して詳細に説明する。  
図１は、この発明の一実施形態とする放送素材送出システムの概略構成を示すブロック図である。  
図１のシステムにおいて、情報記録再生制御装置１０を中心に、情報再生装置であるＶＴＲ２０と、ビデオサーバ３０と、操作端末４０とが、それぞれバス５０で接続されている。情報記録再生制御装置１０は、バス５０を介してＶＴＲ２０及びビデオサーバ３０の記録再生を制御可能とする。
【００１３】
上記情報記録再生制御装置１０は、制御ＣＰＵ１１と、素材情報記憶部１２と、ＶＴＲ情報記憶部１３とを備えている。素材情報記憶部１２には、図２に示すように、ビデオサーバ３０に収録される放送素材の素材ＩＤと、ＶＴＲ２０に着脱自在に装填される磁気テープのテープＩＤと、磁気テープ中の放送素材の開始位置を示す頭出し位置と、放送素材の収録長との対応関係を表す素材管理テーブル（以下、素材情報と称する）が記憶される。この素材情報は、オペレータによる操作端末４０の操作で素材情報記憶部１２に登録される。
【００１４】
ＶＴＲ情報記憶部１３には、図３に示すように、ＶＴＲ２０のＶＴＲＩＤと、テープＩＤとの対応関係を表すＶＴＲテーブル（以下、ＶＴＲ情報と称する）が記憶される。
【００１５】
一方、制御ＣＰＵ１１は、ＶＴＲ２０及びビデオサーバ３０の制御動作に係わる通常の制御機能に加え、テープＩＤ取得部１１１と、素材判定部１１２と、頭出し制御部１１３とを備えている。
【００１６】
テープＩＤ取得部１１１は、例えばＶＴＲ２０に磁気テープが装填された場合に、磁気テープに付与されるテープＩＤを取得し、ＶＴＲ情報記憶部１３のＶＴＲ情報の更新を行う。
【００１７】
素材判定部１１２は、ビデオサーバ３０から放送素材の収録完了の通知を受信した場合に、素材情報記憶部１２の素材情報及びＶＴＲ情報記憶部１３のＶＴＲ情報を参照し、この参照結果に基づいて、ＶＴＲ２０に装填される磁気テープ中に他の素材が存在するか否かの判定を行なう。
【００１８】
頭出し制御部１１３は、上記素材判定部１１２により磁気テープ中に他の素材が存在する旨が判定された場合に、素材情報を参照して他の素材の素材ＩＤに対応する頭出し位置から該当する素材を再生してビデオサーバ３０に収録するようにＶＴＲ２０を制御する。
【００１９】
次に、上記構成によるシステムの動作を説明する。図４は、制御ＣＰＵ１１の制御動作手順とその内容を示すフローチャートである。
【００２０】
制御ＣＰＵ１１は、ステップＳＴ４ａにおいてＶＴＲ２０（ＶＴＲ１）への磁気テープの装填状態を監視しており、磁気テープが装填されると、ＶＴＲ情報記憶部１３に記憶されているＶＴＲ情報の内容を更新する（ステップＳＴ４ｂ）。
【００２１】
そして、制御ＣＰＵ１１は、素材情報記憶部１２に記憶されている素材情報を参照して、磁気テープ中の素材Ａの頭出し位置から素材Ａを再生するようにＶＴＲ２０の頭出し制御を実行する（ステップＳＴ４ｃ）。続いて、ビデオサーバ３０に対し素材Ａの収録を開始させ（ステップＳＴ４ｄ）、しかる後に素材Ａの収録完了通知をビデオサーバ３０から受信すると、ステップＳＴ４ｅからステップＳＴ４ｆに移行してここで素材情報記憶部１２に記憶されている素材情報を参照して、磁気テープ中に他の素材が存在するか否かを判定する。
【００２２】
そして、磁気テープ中に素材Ｂが存在する場合に（Ｙｅｓ）、制御ＣＰＵ１１は素材情報を参照して次の素材Ｂの頭出し位置から素材Ｂを再生するようにＶＴＲ２０に対し頭出し制御を実行する（ステップＳＴ４ｇ）。
【００２３】
以後、磁気テープ中に複数の素材が存在する限り、制御ＣＰＵ１１はステップＳＴ４ｃ乃至ステップＳＴ４ｆの処理を繰り返し実行する。
【００２４】
そして、上記ステップＳＴ４ｆにおいて、磁気テープ中に他の素材がない場合に（Ｎｏ）、制御ＣＰＵ１１はＶＴＲ２０に装填中の磁気テープの巻き戻しを実行し（ステップＳＴ４ｈ）、巻き戻し終了後に磁気テープの排出処理を実行する（ステップＳＴ４ｉ）。
【００２５】
なお、制御ＣＰＵ１１は、バス５０にＶＴＲ２０以外の他のＶＴＲが接続される場合においても上記ステップＳＴ４ａ乃至ステップＳＴ４ｉの処理を他のＶＴＲに対し実行することはもちろんのことである。この場合、ＶＴＲ情報記憶部１３に記憶されるＶＴＲ情報中に他のＶＴＲのＶＴＲＩＤも含めておくようにする。
【００２６】
以上のように上記実施形態では、磁気テープ中の放送素材を特定する素材ＩＤと、磁気テープを特定するテープＩＤと、磁気テープ上の放送素材の先頭位置を表す頭出し位置とを対応付けた素材情報を素材情報記憶部１２に記憶し管理しておくと共に、ＶＴＲ２０に装填される磁気テープのテープＩＤを取得し、ＶＴＲ情報記憶部１３中のＶＴＲ情報を更新するようにし、ビデオサーバ１１から磁気テープ中の素材Ａの収録が終了した旨の通知を受けた時に、制御ＣＰＵ１１によりテープＩＤを利用して素材情報を参照して、磁気テープ中に他の素材Ｂが存在するか否かを判定し、素材Ｂが存在する場合に、素材情報を参照して素材Ｂの素材ＩＤに対応する頭出し位置から素材Ｂを再生するようにＶＴＲ２０の頭出し制御を実行するようにしている。
【００２７】
従って、上記素材情報を用いることで、ＶＴＲ２０に装填される磁気テープに、他の素材Ｂが存在するか否かをチェックでき、存在する場合にはＶＴＲ２０から磁気テープを取り出すことなく、そのまま次の素材Ｂの開始位置まで頭出しを行うことができ、これによりオペレータに対する収録操作の作業効率を上げることができる。
【００２８】
なお、この発明は上記実施形態に限定されることなく、素材送出システムの構成、情報記憶再生制御装置の構成、磁気テープに対する複数素材の頭出し制御手順等についても、この発明の要旨を逸脱しない範囲で種々変形して実施できる。
【図面の簡単な説明】
【００２９】
【図１】この発明の一実施形態とする放送素材送出システムの概略構成を示すブロック図。
【図２】上記図１に示した素材情報記憶部の記憶内容の一例を示す図。
【図３】上記図１に示したＶＴＲ情報記憶部の記憶内容の一例を示す図。
【図４】同実施形態における制御ＣＰＵの制御動作手順とその内容を示すフローチャート。
【符号の説明】
【００３０】
１０…情報記録再生制御装置、１１…制御ＣＰＵ、１２…素材情報記憶部、１３…ＶＴＲ情報記憶部、２０…ＶＴＲ、３０…ビデオサーバ、４０…操作端末、５０…バス、１１１…テープＩＤ取得部、１１２…素材判定部、１１３…頭出し制御部。
【図１】
2008234709.tif 000003
【図２】
2008234709.tif 000004
【図３】
2008234709.tif 000005
【図４】
2008234709.tif 000006